(57)【要約】【課題】複数本の案内レールを機台上に端面同士を突き合わせて固定する場合に許容範囲を超える位置ずれが案内レールの端面間に発生することを防止することのできる直動案内装置を提供する。【解決手段】案内レール１ａの一端面に円柱状または角柱状の突起部１１を設けるとともに、案内レール１ｂの一端面に突起部１１と嵌合する穴部１２を設けて、案内レール１ａ，１ｂの端面間に発生する位置ずれを突起部１１と穴部１２によって防止する。【選択図】図１
2005233247.tif 000002
【特許請求の範囲】
【請求項１】
端面同士を突き合わせて機台上に固定される複数本の案内レールを有する直動案内装置において、
前記案内レールの端面に嵌合部を設けたことを特徴とする直動案内装置。
【請求項２】
前記嵌合部は、前記案内レールの端面に設けられた円柱もしくは角柱状の突起部から形成されることを特徴とする請求項１記載の直動案内装置。
【請求項３】
前記嵌合部は、前記案内レールの端面に形成された円形もしくは角形の穴部から形成されることを特徴とする請求項１記載の直動案内装置。
【請求項４】
前記嵌合部は、前記案内レールの端面を凸状または凹状に加工して形成されていることを特徴とする請求項１記載の直動案内装置。
【請求項５】
前記嵌合部は、前記案内レールの端面に連結部材と嵌合する嵌合穴部を設けて形成されていることを特徴とする請求項１記載の直動案内装置。
【請求項６】
前記案内レールは外面に転動体転動溝を有し、該転動体転動溝は前記案内レールの端面同士を突き合せた後に一体加工して形成されていることを特徴とする請求項１〜５のいずれか１項記載の直動案内装置。
【発明の詳細な説明】
【技術分野】
【０００１】
本発明は、工作機械やＸＹテーブル装置等の産業機械においてリニアガイドとして用いられる直動案内装置に関し、特に、端面同士を突き合わせて機台上に固定される複数本の案内レールを有する直動案内装置に関する。
【背景技術】
【０００２】
工作機械やＸＹテーブル装置等の産業機械においてリニアガイドとして用いられる直動案内装置は、図６に示すように、外面に転動体軌道溝２を有する案内レール１と、この案内レール１の転動体軌道溝２と対向する不図示の転動体軌道溝を内面に有するスライダ３と、このスライダ３の転動体軌道溝と案内レール１の転動体軌道溝２との間に設けられた多数の転動体（図示せず）とからなり、案内レール１を工作機械やＸＹテーブル装置等の機台上に固定して使用されるのが一般的である。
【０００３】
このような直動案内装置の案内レールを機台上に精度良く固定する方法としては、図７に示すように、ストレートエッジ５を基準にして案内レール１の位置をダイヤルゲージ６で確認しながら案内レール１を機台７上に固定する方法や、あるいは図８に示すように、案内レール１を横押し板８で基準面９に押し付けて機台７上に固定する方法などがある。
【発明の開示】
【発明が解決しようとする課題】
【０００４】
これらの方法は、機台上に固定される案内レールが１本の場合には案内レールを機台上に精度良く固定することができるが、複数本の案内レールを機台上に１本のレールとして固定する場合には、許容範囲を超える位置ずれが案内レールの端面間に発生するため、案内レールを機台上に精度良く固定することが困難であった。
本発明は、このような問題点に着目してなされたものであり、複数本の案内レールを機台上に端面同士を突き合わせて固定する場合に許容範囲を超える位置ずれが案内レールの端面間に発生することを防止することのできる直動案内装置を提供することを目的とするものである。
【課題を解決するための手段】
【０００５】
上記の目的を達成するために、請求項１の発明は、端面同士を突き合わせて機台上に固定される複数本の案内レールを有する直動案内装置において、前記案内レールの端面に嵌合部を設けたことを特徴とする。
請求項２の発明は、請求項１記載の直動案内装置において、前記嵌合部が前記案内レールの端面に設けられた円柱もしくは角柱状の突起部から形成されることを特徴とする。
請求項３の発明は、請求項１記載の直動案内装置において、前記嵌合部が前記案内レールの端面に形成された円形もしくは角形の穴部から形成されることを特徴とする。
【０００６】
請求項４の発明は、請求項１記載の直動案内装置において、前記嵌合部が前記案内レールの端面を凸状または凹状に加工して形成されていることを特徴とする。
請求項５の発明は、請求項１記載の直動案内装置において、前記嵌合部が前記案内レールの端面に連結部材と嵌合する嵌合穴部を設けて形成されていることを特徴とする。
請求項６の発明は、請求項１〜５のいずれか１項記載の直動案内装置において、前記案内レールが外面に転動体転動溝を有し、該転動体転動溝が前記案内レールの端面同士を突き合せた後に一体加工して形成されていることを特徴とする。
【発明の効果】
【０００７】
本発明に係る直動案内装置によれば、案内レールの端面に嵌合部を設けたことで、複数本の案内レールを機台上に端面同士を突き合わせて固定する場合に許容範囲を超える位置ずれが案内レールの端面間に発生することを防止することができる。したがって、複数本の案内レールを機台上に１本のレールとして精度良く固定することができる。
【発明を実施するための最良の形態】
【０００８】
以下、本発明の実施の形態を図面に基づいて説明する。
本発明の第１の実施形態を図１に示す。同図において、符号１ａ，１ｂは端面同士を突き合わせて機台上に固定される二本の案内レールを示しており、これらの案内レール１ａ，１ｂのうち案内レール１ａの図中右側端面には、嵌合部としての突起部１１が設けられている。この突起部１１は円柱状または角柱状に形成されており、案内レール１ｂの図中左側端面には、突起部１１と嵌合する嵌合部としての円形もしくは角形の穴部１２が設けられている。
【０００９】
なお、図中４は案内レール１ａ，１ｂを図示しないボルトにより機台上に固定するためのレール固定孔を示している。また、案内レール１ａ，１ｂの転動体軌道溝２は案内レール１ａ，１ｂの端面同士を突き合せた後に一体加工により形成されている。
このような構成において、案内レール１ａの図中右側端面と案内レール１ｂの図中左側端面とを突き合わせると、案内レール１ａの端面に設けられた突起部１１と案内レール１ｂの端面に設けられた穴部１２とが嵌合する。したがって、案内レール１ａ，１ｂを機台上に端面同士を突き合わせて固定する場合に許容範囲を超える位置ずれが案内レール１ａ，１ｂの端面間に発生することを突起部１１と穴部１２によって防止できるので、案内レール１ａ，１ｂを機台上に１本のレールとして精度良く固定することができる。
【００１０】
次に、本発明の第２の実施形態を図２に示す。同図において、符号１ａ，１ｂは端面同士を突き合わせて機台上に固定される二本の案内レールを示しており、これらの案内レール１ａ，１ｂのうち案内レール１ａの図中右側端面には、嵌合部としての凸部１３が設けられている。この凸部１３は案内レール１ａの端面中央部を凸状に加工して形成されており、案内レール１ｂの図中左側端面には、凸部１３と嵌合する嵌合部としての凹部１４が案内レール１ｂの端面中央部を凹状に加工して形成されている。
【００１１】
このような構成において、案内レール１ａの図中右側端面と案内レール１ｂの図中左側端面とを突き合わせると、案内レール１ａの端面に設けられた凸部１３と案内レール１ｂの端面に設けられた凹部１４とが嵌合する。したがって、案内レール１ａ，１ｂを機台上に端面同士を突き合わせて固定する場合に許容範囲を超える位置ずれが案内レール１ａ，１ｂの端面間に発生することを凸部１３と凹部１４によって防止できるので、案内レール１ａ，１ｂを機台上に１本のレールとして精度良く固定することができる。
【００１２】
なお、上述した第２の実施形態では凸部１３及び凹部１４の形状をコ字状に形成したが、図３に示す第３の実施形態や図４に示す第４の実施形態のように、凸部１３及び凹部１４の形状を楔状や円弧状にしても同様の効果が得られる。
次に、本発明の第５の実施形態を図５に示す。同図において、符号１ａ，１ｂは端面同士を突き合わせて機台上に固定される二本の案内レール、１５は案内レール１ａと案内レール１ｂとを連結する連結部材を示している。この連結部材１５は角柱状もしくは円柱状に形成されており、案内レール１ａの図中右側端面と案内レール１ｂの図中左側端面には、連結部材１５と嵌合する嵌合穴部１６がそれぞれ形成されている。
【００１３】
このように構成される本発明の第５の実施形態では、案内レール１ａ，１ｂの端面に連結部材１５と嵌合する嵌合部としての嵌合穴部１６を設けたことで、案内レール１ａ，１ｂの端面間に位置ずれを発生させることなく案内レール１ａと案内レール１ｂとを連結部材１５により連結することができる。したがって、案内レール１ａ，１ｂを機台上に端面同士を突き合わせて固定する場合に許容範囲を超える位置ずれが案内レール１ａ，１ｂの端面間に発生することを防止できるので、案内レール１ａ，１ｂを機台上に１本のレールとして精度良く固定することができる。
【図面の簡単な説明】
【００１４】
【図１】本発明の第１の実施形態を示す図である。
【図２】本発明の第２の実施形態を示す図である。
【図３】本発明の第３の実施形態を示す図である。
【図４】本発明の第４の実施形態を示す図である。
【図５】本発明の第５の実施形態を示す図である。
【図６】直動案内装置の概略構成を示す斜視図である。
【図７】案内レールを機台上に固定する方法の一例を示す図である。
【図８】案内レールを機台上に固定する方法の他の例を示す図である。
【符号の説明】
【００１５】
１，１ａ，１ｂ  案内レール
２  転動体軌道溝
３  スライダ
４  レール固定孔
５  ストレートエッジ
６  マイクロメータ
７  機台
８  横押し板
９  基準面
１１  突起部
１２  穴部
１３  凸部
１４  凹部
１５  連結部材
１６  嵌合穴部
【図１】
2005233247.tif 000003
【図２】
2005233247.tif 000004
【図３】
2005233247.tif 000005
【図４】
2005233247.tif 000006
【図５】
2005233247.tif 000007
【図６】
2005233247.tif 000008
【図７】
2005233247.tif 000009
【図８】
2005233247.tif 000010